【事件の表示】
　特願２００６−１２３５７５「金銭代用円盤状体を利用した遊技システム」拒絶査定不服審判事件〔平成１８年　８月１７日出願公開、特開２００６−２１２４５４〕について、次のとおり審決する。
【結　論】
　
　本件審判の請求は、成り立たない。
【理　由】
　
第１．手続の経緯
　
　本件の経緯概要は以下のとおりである。
　
特許出願　平成１８年４月２７日（特願平１０−３５７７９４号（出願日：平成１０年１２月１６日）の分割出願）
審査請求　平成１８年４月２７日
拒絶理由　平成２１年５月１日
手続補正　平成２１年７月１３日
拒絶査定　平成２１年８月２５日
審判請求及び手続補正　平成２１年１１月２７日
　
第２．平成２１年１１月２７日付の手続補正についての補正却下の決定
　
［補正却下の決定の結論］
　
　平成２１年１１月２７日付の手続補正（以下「本件補正」という。）を却下する。
　
［理由］
　
１．本件補正の内容
　
　本件補正前後の特許請求の範囲の記載は次のとおりである。なお、本件補正前とは平成２１年７月１３日付の手続補正書におけるものである。
　
［本件補正前の特許請求の範囲］
「【請求項１】後に変更できない状態で製造段階に固有のＩＤコードを記憶させたメモリを内蔵している金銭代用円盤状体を利用した遊技システムであって，所定の金額の金銭の投入により金銭代用円盤状体を貸し出す円盤状体貸し出し手段と，金銭代用円盤状体の投入により所定量の遊技媒体を貸し出す遊技媒体貸し出し手段と，遊技媒体を利用して遊技を行う遊技手段と，金銭代用円盤状体の投入により所定の金額の金銭を払い戻す精算手段と，ＩＤコードに基づいて遊技媒体貸し出し手段及び精算手段を制御する制御手段を備え，前記メモリはデータの書き込みが不可能な読み出し専用メモリであることを特徴とする，遊技システム。
【請求項２】前記遊技媒体貸し出し手段は，金銭代用円盤状体が投入された際に，前記所定の金額の金銭に対応した量の遊技媒体を貸し出すことを特徴とする，請求項１の遊技システム。
【請求項３】前記遊技媒体貸し出し手段は，金銭代用円盤状体が投入された際に，前記所定の金額の金銭に対応した量の範囲内で選択された量の遊技媒体を貸し出すことを特徴とする，請求項１の遊技システム。
【請求項４】前記遊技媒体貸し出し手段に投入された金銭代用円盤状体及び／又は前記精算手段に投入された金銭代用円盤状体を前記円盤状体貸し出し手段に搬送する搬送手段を備えることを特徴とする，請求項１，２又は３のいずれかの遊技システム。」
　
［本件補正後の特許請求の範囲］
「【請求項１】後に変更できない状態で製造段階に固有のＩＤコードを記憶させた書き込みが不可能な読み出し専用メモリを内蔵している金銭代用円盤状体を利用した遊技システムであって，所定の金額の金銭の投入により金銭代用円盤状体を貸し出す円盤状体貸し出し手段と，金銭代用円盤状体の投入により所定量の遊技媒体を貸し出す遊技媒体貸し出し手段と，遊技媒体を利用して遊技を行う遊技手段と，金銭代用円盤状体の投入により所定の金額の金銭を払い戻す精算手段と，ＩＤコードに基づいて遊技媒体貸し出し手段及び精算手段を制御する制御手段を備え，前記円盤状体貸し出し手段が金銭代用円盤状体を貸し出した場合は，その金銭代用円盤状体のＩＤコードが制御手段に入力され，制御手段は当該ＩＤコードを記憶し，遊技媒体貸し出し手段に金銭代用円盤状体を投入すると，遊技媒体貸し出し手段は投入された金銭代用円盤状体のＩＤコードを読み取り，制御手段はそのＩＤコードが円盤状体貸し出し手段から貸し出されている金銭代用円盤状体のＩＤコードであるか否かを識別し，金銭代用円盤状体を精算手段に投入すると，精算手段は投入された金銭代用円盤状体のＩＤコードを読み取り，制御手段はそのＩＤコードが円盤状体貸し出し手段から貸し出されている金銭代用円盤状体のＩＤコードであるか否かを識別することを特徴とする，遊技システム。
【請求項２】前記遊技媒体貸し出し手段は，金銭代用円盤状体が投入された際に，制御手段がそのＩＤコードが円盤状体貸し出し手段から貸し出されている金銭代用円盤状体のＩＤコードであると判定した場合，円盤状貸し出し前記所定の金額の金銭に対応した量の遊技媒体を貸し出すことを特徴とする，請求項１の遊技システム。
【請求項３】前記遊技媒体貸し出し手段は，金銭代用円盤状体が投入された際に，制御手段がそのＩＤコードが円盤状体貸し出し手段から貸し出されている金銭代用円盤状体のＩＤコードであると判定した場合，前記所定の金額の金銭に対応した量の範囲内で選択された量の遊技媒体を貸し出すことを特徴とする，請求項１の遊技システム。
【請求項４】前記遊技媒体貸し出し手段に投入された金銭代用円盤状体及び／又は前記精算手段に投入された金銭代用円盤状体を前記円盤状体貸し出し手段に搬送する搬送手段を備えることを特徴とする，請求項１，２又は３のいずれかの遊技システム。」
　
２．本件補正の検討
　
　補正の適否について検討する。
　本件補正後の請求項１と、本件補正前の請求項１とを比較する。
　本件補正前の「後に変更できない状態で製造段階に固有のＩＤコードを記憶させたメモリ」及び「前記メモリはデータの書き込みが不可能な読み出し専用メモリである」という記載については、本件補正後において「後に変更できない状態で製造段階に固有のＩＤコードを記憶させた書き込みが不可能な読み出し専用メモリ」という記載にまとめられたものであるから、本件補正後の請求項１は本件補正前の請求項１に対して、
「前記円盤状体貸し出し手段が金銭代用円盤状体を貸し出した場合は，その金銭代用円盤状体のＩＤコードが制御手段に入力され，制御手段は当該ＩＤコードを記憶し，遊技媒体貸し出し手段に金銭代用円盤状体を投入すると，遊技媒体貸し出し手段は投入された金銭代用円盤状体のＩＤコードを読み取り，制御手段はそのＩＤコードが円盤状体貸し出し手段から貸し出されている金銭代用円盤状体のＩＤコードであるか否かを識別し，金銭代用円盤状体を精算手段に投入すると，精算手段は投入された金銭代用円盤状体のＩＤコードを読み取り，制御手段はそのＩＤコードが円盤状体貸し出し手段から貸し出されている金銭代用円盤状体のＩＤコードであるか否かを識別する」
という構成が追加されたものである。
　この点は、本件補正前の「制御手段」について、その制御内容が限定されたものと判断することができるから、本件補正は特許請求の範囲を限定的に減縮するものと認め、本件補正後の請求項１に係る発明（以下「本願補正発明」という。）が独立して特許を受けることができるものであるかについて、以下検討することとする。
　
３．引用例
　
　原査定の拒絶の理由において引用された特開平９−７５５３５号公報（以下「引用文献１」という。）には図面と共に以下の技術事項が記載されている。
　
「【請求項１】所定個数分のパチンコ玉に相当するパチンコゲーム専用のカードを購入し、そのカードをパチンコ遊技台に挿入して上記所定個数の内から必要な数をパチンコ遊技台内部の遊技玉数と交換し、パチンコ遊技台の内部に封入された一定個数のパチンコ玉を循環させてゲームを行なう循環型のカード式パチンコ遊技台を用い、  上記パチンコ遊技台と、パチンコ遊技用のプリペイドカードを発行するカード販売機と、上記プリペイドカードの清算を管理する清算管理用端末器とを少なくとも端末装置とし、それらの端末装置とセンターコンピュータとの間で情報の伝送授受を行なって全体の管理を行なうパチンコ遊技装置であって、
上記センターコンピュータは、上記カード販売機における販売金額もしくはそれに相当する数値に関する第１のデータを記憶する第１のメモリと、上記パチンコ遊技台における残存玉数もしくはそれに相当する数値に関する第２のデータを記憶する第２のメモリとを有し、上記カード販売機から伝送された上記第１のデータとＩＤ番号とを関連付けて上記第１のメモリに記憶し、また、上記パチンコ遊技台から伝送された上記ＩＤ番号に対応して上記第１メモリから上記第１のデータを読み出して上記パチンコ遊技台へ伝送し、かつパチンコ遊技台から伝送された上記第２のデータは上記ＩＤ番号に関連付けて上記第２のメモリへ記憶させ、また、上記清算管理用端末器から伝送された上記ＩＤ番号に応じて上記第１のメモリと上記第２のメモリから上記第１のデータと上記第２のデータを読み出して上記清算管理用端末器へ伝送するように構成したものであり、
上記カード販売機は、発行するカードに上記第１のデータは記憶させず上記ＩＤ番号を記憶させて発行し、上記第１のデータと上記ＩＤ番号とを上記第１のコンピュータへ伝送するように構成したものであり、
上記パチンコ遊技台は、上記カードの上記ＩＤ番号を読み込む手段を有し、挿入された上記カードの上記ＩＤ番号に応じて上記センターコンピュータを介して上記第１のメモリから上記第１のデータを読み出し、その数値の範囲以内で遊技玉数に変換可能に制御し、当該パチンコ遊技台における上記第２のデータは上記センターコンピュータを介して上記第２のメモリに上記ＩＤ番号に対応させて記憶させ、上記カードには上記第２のデータは記憶しないように構成したものであり、
上記精算管理用端末器は、上記カードの上記ＩＤ番号を読み込む手段を有し、挿入された上記カードのＩＤ番号に応じて上記センターコンピュータを介して上記第１のメモリと第２のメモリから上記第１のデータと第２のデータを読み出し、景品と交換可能な玉数もしくは金額に相当する数値を表示するように構成したものである、
ことを特徴とするパチンコ遊技装置。」
「【０００９】上記のように構成したことにより、カード販売機で発行するカードには販売金額または玉数に関する第１のデータは記憶させず、また、パチンコ遊技台における残存玉数に関する第２のデータも上記カードには記憶させず、カードにはＩＤ番号だけが記憶されることになる。そして上記第１および第２のデータは、センターコンピュータの第１および第２のメモリにＩＤ番号に関連付けて記憶され、各パチンコ遊技台および精算管理用端末器では挿入されたカードのＩＤ番号に対応させてセンターコンピュータを介して上記メモリから読み出して用いるようになっている。したがって、カードに記憶されているのはＩＤ番号のみであり、金額や玉数の情報が全くないので、カードを偽造しても不正使用することが全く出来ない。すなわち、偽造カードには元になったカードのＩＤ番号のみが書き込まれているので、その偽造カードをパチンコ遊技台に差し込んでも、センターコンピュータの第１または第２のメモリに当該ＩＤ番号に対応した金額や玉数の情報が記憶されていなければ、全く無価値であり、パチンコ遊技を行なうことも清算台で景品と交換することも全く不可能である。」
「【００２１】次に、各端末装置について説明する。まず、カード販売機について説明する。図２は、カード販売機４の構成を示すブロック図である。図２において、１１ａと１１ｂは入出力回路として用いるパルストランスであって、それぞれ入力用と出力用とがあり、１１ａはＢ１ループ伝送ライン７ａの入力と出力に、１１ｂはＢ２ループ伝送ライン７ｂの入力と出力に接続されている。なお、光信号を用いる場合にはパルストランスの代わりに光コネクタ等を用いる。また、１２はシリアルコントローラであり、パルストランス１１ａ、１１ｂを介してのデータの入出力および異常時における伝送経路の変更を制御する。なお、シリアルコントローラ１２は波形整形回路を有し、パルストランスを介して入力した信号を波形整形して取り込む。また、通信用ＣＰＵ１３は、ＲＡＭ１４とデュアルポートＲＡＭ１５とを用いて、Ｂ１ループ伝送ライン７ａおよびＢ２ループ伝送ライン７ｂと制御用ＣＰＵ１６との間のデータ伝送の制御を行なう。なお、上流の隣のパチンコ遊技台から送られたデータは、一旦、ＲＡＭ１４に記憶した後、当該カード販売機のデータ（後記制御用ＣＰＵ１６から送られたデータ）と共に下流の隣のカード販売機へ伝送する。また、１７は制御用ＣＰＵ１６用のＲＯＭ／ＲＡＭである。
【００２２】また、１８は遊技客がカードを購入するために挿入した紙幣の金額を識別する紙幣識別装置であり、紙幣を内部に取り込むと共に識別した金額のデータを制御用ＣＰＵ１６へ送る。同様に、硬貨識別装置１９は、硬貨を内部に取り込むと共に識別した金額のデータを制御用ＣＰＵ１６へ送る。また、カード発行装置２０は、磁気書き込み装置を有するカード発行装置であり、遊技客が上記紙幣識別装置１８または硬貨識別装置１９に貨幣を投入した場合にカードを発行するが、そのカードには所定のＩＤ番号を記憶して発行し、金額や玉数に関するデータは全く記憶させない。
【００２３】制御用ＣＰＵ１６は、上記紙幣識別装置１８、硬貨識別装置１９から読み込んだ金額に関するデータ、およびカード発行装置２０から読み込んだＩＤ番号を、デュアルポートＲＡＭ１５に一旦記憶した後、通信用ＣＰＵ１５を介してＢ１ループ伝送ライン７ａおよびＢ２ループ伝送ライン７ｂに送り出す。この場合、当該カード販売機から送るデータは、発行したカードのＩＤ番号とそのＩＤ番号に対応した売上げ金額のデータである。なお、この金額に関するデータは、金額をそのまま示すものでもよいが、玉数に換算した値、或いは最低販売単位（例えば１００円もしくは５００円等）に換算した値でもよい。」
「【００２８】また、カード読み書き装置２４は、遊技客がカード（前記カード販売機で購入したプリペイドカード）を挿入することによって必要な情報（前記ＩＤ番号等）を読み込み、或いは必要なデータを書き込むものであり、一般の磁気書き込み読み取り装置を用いることが出来る。また、表示装置２５は、遊技中における残存玉数や金額等を表示する装置であり、例えば液晶表示装置等を用いる。上記のごときパチンコ遊技台とセンターコンピュータ１とのデータ伝送は、前記図２の場合と同様である。以下、パチンコ遊技台自体の動作を説明する。
【００２９】図９は、パチンコ遊技台における遊技の全体経過を示すフローチャートである。図９において、ステップＳ１１で、遊技客がカード読み書き装置２４にカード（前記カード販売機で購入したプリペイドカード）を挿入すると、当該カードのＩＤ番号をセンターコンピュータ１に伝送し、消費可能な金額（または玉数）のデータを呼び出す。
【００３０】次に、ステップＳ１２において、遊技客が玉貸しボタンを操作すると、上記の消費可能な金額内で、玉貸しボタンの操作回数に応じた数の遊技玉がパチンコ遊技台内で使用可能になる。この際には、遊技玉に変換した数値をセンターコンピュータ１へ伝送する。センターコンピュータ１は、第１のメモリ９に記憶した第１のデータから消費した金額を減算して記憶する。
【００３１】次に、ステップＳ１３において、遊技客がパチンコ遊技台のハンドル（図示せず、通常の遊技台の玉発射用ハンドル）を操作することによって遊技が行なわれる。この際にはセンターコンピュータ１へ伝送するデータはない。次に、ステップＳ１４に示す遊技中においては、出玉を遊技玉数に加算し、また、遊技玉の減少に応じて遊技客が玉貸しボタンを操作すると、遊技玉が追加される。この際には、遊技玉に変換した数や増加した玉数をセンターコンピュータ１へ伝送する。センターコンピュータ１では、遊技玉数を第２のメモリ１０に第２のデータとして記憶する。なお、遊技玉数が０になった場合には、第１のメモリ９に記憶された残存金額の範囲内で、自動的に遊技玉を追加するように制御してもよい。また、ゲーム中の特賞や入賞の情報もセンターコンピュータ１へ伝送して記憶するようにしてもよい。」
「【００３７】図４において、１１〜１７の部分は前記図２と同様であり、Ｃ１ループ伝送ライン８ａとＣ２ループ伝送ライン８ｂとを用いて、２系統でデータを伝送する。また、２６はキーボードや操作スイッチ等の入力装置であり、遊技店の従業員が清算時の操作を行なうための入力手段である。制御用ＣＰＵ１６は、入力ポー２７を介して入力装置２６の信号を入力し、その指示に応じた清算用制御を行なう。例えば、従業員が清算用の操作スイッチを操作することにより、残存玉数に相当する金額や交換可能な景品が表示され、かつ第２のメモリに記憶されていた第２のデータは消去される。また、第１のメモリに記憶されていた第１のデータも、残存金額分を景品と交換すれば消去されるが、カードを持ち帰って再度使用する場合には、第１のデータは保持される。
【００３８】また、カード読み書き装置２８は、前記図３のカード読み書き装置２３と同様の装置であり、遊技客が持参したカードを挿入してそのＩＤ番号を読み取り、かつ使用済みのカードのＩＤ番号を消去するものである。また、表示装置２９は、清算時の残存金額（購入時の金額から消費金額を減算した値）、残存玉数（遊技終了時の残り玉数）或いは交換可能な景品等を表示するものである。
【００３９】上記のような残存金額や残存玉数のデータは、カードには一切記憶させず、全てセンターコンピュータ１の第１のメモリ９と第２のメモリ１０にカードのＩＤ番号に対応させて記憶し、精算管理用端末器５からの呼出しに応じてセンターコンピュータ１を介して上記メモリから読み出して用いる。
【００４０】なお、基本的には、遊技客がカード販売機で購入した金額とパチンコ遊技台で稼いだ玉数とは別に管理する。すなわち、購入しただけの金額は遊技客の所有物であり、基本的に持ち帰り自由であるが、稼いだ玉数は当日のみ通用するものであり、遊技終了時には清算して景品と引き換える必要がある。」
「【００４９】次に、これまでの説明においては、端末装置として、パチンコ遊技台、カード販売機、精算管理用端末器を例示したが、次のような端末装置を追加することもできる。例えば、上記カード販売機で購入したカードを用いて低額の店内消費用商品（缶入り飲料やタバコ等）を販売するカード式自動販売機や残存玉数に相当する景品を自動的に出力するカード式自動清算機がある。これらの装置の機械的構成は、通常のカード式自動販売機と同様の機構で実現できるが、本発明の場合には、カードにはＩＤ番号のみが記憶され、金額等は一切書き込まれていない。したがって、上記のごときカード式自動販売機やカード式自動清算機においても、前記パチンコ遊技台、カード販売機、精算管理用端末器と同様の伝送制御部（図２〜図４の１１〜１７の部分）を備え、かつ図１の６〜８に示したのと同様の２系統ループ伝送ラインでセンターコンピュータ１に接続され、当該カードのＩＤ番号に対応した金額や残存玉数を第１のメモリ９や第２のメモリ１０から読み出し、それに相当した商品を購入または交換できるように構成する。」
　
　【請求項１】の記載において、「パチンコ玉」、「遊技玉」、「玉」という異なる表記があるが、これらは同じものを指すと解されるので、全て「遊技玉」に統一する。また、同様に「清算管理用端末器」と「精算管理用端末器」という表記についても、前者に統一する。さらに、【請求項１】の記載において、「カード販売機」の構成に「上記第１のコンピュータへ伝送する」という記載があるが、【請求項１】の他の箇所に「第１のコンピュータ」なる文言はなく、一方、「センターコンピュータ」の構成に「上記カード販売機から伝送された」という記載があることも考慮すれば、「第１のコンピュータ」は「センターコンピュータ」の誤記であると認定できる。
　よって、引用文献１の特に【請求項１】の記載内容に基づけば、引用文献１には次の発明（以下、「引用発明１」という。）が記載されている。
「所定個数分の遊技玉に相当するパチンコゲーム専用のカードを購入し、そのカードをパチンコ遊技台に挿入して上記所定個数の内から必要な数をパチンコ遊技台内部の遊技玉数と交換し、パチンコ遊技台の内部に封入された一定個数の遊技玉を循環させてゲームを行なう循環型のカード式パチンコ遊技台を用い、
  上記パチンコ遊技台と、パチンコ遊技用のプリペイドカードを発行するカード販売機と、上記プリペイドカードの清算を管理する清算管理用端末器とを少なくとも端末装置とし、それらの端末装置とセンターコンピュータとの間で情報の伝送授受を行なって全体の管理を行なうパチンコ遊技装置であって、
　上記センターコンピュータは、上記カード販売機における販売金額もしくはそれに相当する数値に関する第１のデータを記憶する第１のメモリと、上記パチンコ遊技台における残存遊技玉数もしくはそれに相当する数値に関する第２のデータを記憶する第２のメモリとを有し、上記カード販売機から伝送された上記第１のデータとＩＤ番号とを関連付けて上記第１のメモリに記憶し、また、上記パチンコ遊技台から伝送された上記ＩＤ番号に対応して上記第１メモリから上記第１のデータを読み出して上記パチンコ遊技台へ伝送し、かつパチンコ遊技台から伝送された上記第２のデータは上記ＩＤ番号に関連付けて上記第２のメモリへ記憶させ、また、上記清算管理用端末器から伝送された上記ＩＤ番号に応じて上記第１のメモリと上記第２のメモリから上記第１のデータと上記第２のデータを読み出して上記清算管理用端末器へ伝送するように構成したものであり、
　上記カード販売機は、発行するカードに上記第１のデータは記憶させず上記ＩＤ番号を記憶させて発行し、上記第１のデータと上記ＩＤ番号とを上記センターコンピュータへ伝送するように構成したものであり、
　上記パチンコ遊技台は、上記カードの上記ＩＤ番号を読み込む手段を有し、挿入された上記カードの上記ＩＤ番号に応じて上記センターコンピュータを介して上記第１のメモリから上記第１のデータを読み出し、その数値の範囲以内で遊技玉数に変換可能に制御し、当該パチンコ遊技台における上記第２のデータは上記センターコンピュータを介して上記第２のメモリに上記ＩＤ番号に対応させて記憶させ、上記カードには上記第２のデータは記憶しないように構成したものであり、
　上記清算管理用端末器は、上記カードの上記ＩＤ番号を読み込む手段を有し、挿入された上記カードのＩＤ番号に応じて上記センターコンピュータを介して上記第１のメモリと第２のメモリから上記第１のデータと第２のデータを読み出し、景品と交換可能な遊技玉数もしくは金額に相当する数値を表示するように構成したものである、
パチンコ遊技装置。」
　
４．対比
　
　本願補正発明と引用発明を対比する。
　引用発明における「ＩＤ番号」とは本願補正発明の「ＩＤコード」に相当し、以下同様に、引用発明における「遊技玉」、「パチンコ遊技台」は本願補正発明の「遊技媒体」、「遊技手段」にそれぞれ相当し、そして引用発明の「パチンコ遊技装置」は本願補正発明の「遊技システム」に相当する。
　さらに引用発明について次の点も云える。
ａ）引用発明の「パチンコゲーム専用のカード」と「プリペイドカード」とは同じものを指し（以下では「プリペイドカード」にまとめる。）、当該カードは「購入」されるものであるから、所定の金銭を支払うことは当然のことであり、引用発明の「プリペイドカード」も本願補正発明の「金銭代用円盤状体」も、いずれも所定の金銭に代えて「引き渡し」を受けるものである点で共通している。さらに、引用発明における「プリペイドカード」は、「所定個数分の遊技玉に相当する」ものであって、そのカードをパチンコ遊技台に挿入することにより「遊技玉数と交換」するものであって、本願補正発明における「金銭代用円盤状体」も、その投入により「所定量の遊技媒体」が貸し出されるものであり、いずれも遊技媒体と交換される「金銭に準じた媒体」である点でも共通している。よって、引用発明の「プリペイドカード」も本願補正発明の「金銭代用円盤状体」も、その性質や機能が共通するものであるから、両者は「金銭代用体」である点で一致している。
ｂ）引用発明のプリペイドカードは「ＩＤ番号を記憶させて発行」されるものであるから、当該ＩＤ番号を記憶する手段（記憶手段）を備えていることは当然のことである。よって、引用発明の「プリペイドカード」も本願補正発明の「金銭代用円盤状体」も「ＩＤコードを記憶させた記憶手段」を備えている点で共通している。
ｃ）上述したように、引用発明の「プリペイドカード」も本願補正発明の「金銭代用円盤状体」も、いずれも所定の金銭に代えて引き渡されるものである点で共通しているから、本願補正発明の「所定の金額の金銭の投入により金銭代用円盤状体を貸し出す円盤状体貸し出し手段」と引用発明の「プリペイドカードを発行するカード販売機」とは、「所定の金額の金銭の投入により金銭代用体を引き渡す金銭代用体引き渡し手段」である点で共通している。
ｄ）引用発明においても「カードをパチンコ遊技台に挿入して…パチンコ遊技台内部の遊技玉数と交換」するものであって、ここで遊技玉との「交換」は本願補正発明の「貸し出し」にあたるから、引用発明のパチンコ遊技台における当該交換手段は本願補正発明の「金銭代用円盤状体の投入により所定量の遊技媒体を貸し出す遊技媒体貸し出し手段」に相当する。よって、引用発明と本願補正発明とは「金銭代用体の投入により所定量の遊技媒体を貸し出す遊技媒体貸し出し手段」を備える点で共通している。
ｅ）引用発明の「パチンコ遊技台」も「内部に封入された一定個数の遊技玉を循環させてゲームを行なう」ものであるから、本願補正発明の「遊技媒体を利用して遊技を行う」点の構成を満たすことは当然のことである。
ｆ）引用発明における「清算管理用端末器」とは「プリペイドカードの清算を管理する」ものであって、「挿入されたカードのＩＤ番号」を読み込む手段も備えているから、引用発明の「清算管理用端末器」も本願補正発明の「精算手段」も「金銭代用体が投入される精算手段」である点で共通している。
ｇ）引用発明においては、「パチンコ遊技台と、…カード販売機と、…清算管理用端末器とを少なくとも端末装置とし、それらの端末装置とセンターコンピュータとの間で情報の伝送授受を行なって全体の管理を行なう」ものであって、センターコンピュータが所要のデータとＩＤ番号とを関連付けて記憶しており、パチンコ遊技台や清算管理用端末器は、挿入されたカードのＩＤ番号に応じてセンターコンピュータを介して所要のデータを読み出し、所要の制御を行うものであるから、引用発明の「センターコンピュータ」は本願補正発明の「ＩＤコードに基づいて遊技媒体貸し出し手段及び精算手段を制御する制御手段」に相当するものであると云える。
ｈ）引用発明のカード販売機は、「発行するカードに…ＩＤ番号を記憶させて発行し、…ＩＤ番号をセンターコンピュータへ伝送するように構成した」ものであり、またセンターコンピュータは「カード販売機から伝送された…ＩＤ番号を…記憶」するものであるから、カード販売機が「ＩＤ番号をセンターコンピュータへ伝送する」点は、本願補正発明の「ＩＤコードが制御手段に入力され」る点に相当する。よって、引用発明と本願補正発明とは「前記金銭代用体引き渡し手段が金銭代用体を引き渡した場合は，ＩＤコードが制御手段に入力され，制御手段はその金銭代用体のＩＤコードを記憶」する点の構成を備えている点で共通している。
ｉ）引用発明のパチンコ遊技台は、「上記カードの上記ＩＤ番号を読み込む手段を有し、挿入された上記カードの上記ＩＤ番号に応じて上記センターコンピュータを介して上記第１のメモリから上記第１のデータを読み出」すものである。よって、引用発明と本願補正発明は「遊技媒体貸し出し手段に金銭代用体を投入すると，遊技媒体貸し出し手段は投入された金銭代用円盤状体のＩＤコードを読み取」る点で共通している。また、引用発明においては、カード販売機がプリペイドカードを発行する際にＩＤ番号をセンターコンピュータへ伝送し、センターコンピュータがカード販売機から伝送されたＩＤ番号を第１のメモリに記憶するものであるから、第１のメモリに記憶されているＩＤ番号とはカード販売機が発行したプリペイドカードに記憶されたＩＤ番号に相当するものである。とすれば、上記の「ＩＤ番号に応じて上記センターコンピュータを介して上記第１のメモリから上記第１のデータを読み出」すとは、センターコンピュータによって第１のメモリにカード販売機が発行したプリペイドカードに記憶されたＩＤ番号が記憶されているか否かを識別することに他ならない。よって、引用発明と本願補正発明とは「制御手段はそのＩＤコードが金銭代用体引き渡し手段から引き渡されている金銭代用体のＩＤコードであるか否かを識別」する点においても共通している。
ｊ）引用発明の清算管理用端末器は、「上記カードの上記ＩＤ番号を読み込む手段を有し、挿入された上記カードのＩＤ番号に応じて上記センターコンピュータを介して上記第１のメモリ…から上記第１のデータ…を読み出」すものである。よって、引用発明と本願補正発明は「精算手段に金銭代用体を投入すると，精算手段は投入された金銭代用円盤状体のＩＤコードを読み取」る点で共通している。また、上述したように、第１のメモリに記憶されているＩＤ番号とはカード販売機が発行したプリペイドカードに記憶されたＩＤ番号に相当するものであるから、上記の「ＩＤ番号に応じて上記センターコンピュータを介して上記第１のメモリ…から上記第１のデータ…を読み出」すとは、センターコンピュータによって第１のメモリにカード販売機が発行したプリペイドカードに記憶されたＩＤ番号が記憶されているか否かを識別することに他ならない。よって、引用発明と本願補正発明とは「制御手段はそのＩＤコードが金銭代用体引き渡し手段から引き渡されている金銭代用体のＩＤコードであるか否かを識別」する点においても共通している。
　
　したがって、引用発明と本願補正発明は、
「ＩＤコードを記憶させた記憶手段を備えた金銭代用体を利用した遊技システムであって，所定の金額の金銭の投入により金銭代用体を引き渡す金銭代用体引き渡し手段と，金銭代用体の投入により所定量の遊技媒体を貸し出す遊技媒体貸し出し手段と，遊技媒体を利用して遊技を行う遊技手段と，金銭代用体が投入される精算手段と，ＩＤコードに基づいて遊技媒体貸し出し手段及び精算手段を制御する制御手段を備え，前記金銭代用体引き渡し手段が金銭代用体を引き渡した場合は，ＩＤコードが制御手段に入力され，制御手段はその金銭代用体のＩＤコードを記憶し，遊技媒体貸し出し手段に金銭代用体を投入すると，遊技媒体貸し出し手段は投入された金銭代用体のＩＤコードを読み取り，制御手段はそのＩＤコードが金銭代用体引き渡し手段から引き渡されている金銭代用体のＩＤコードであるか否かを識別し，金銭代用体を精算手段に投入すると，精算手段は投入された金銭代用体のＩＤコードを読み取り，制御手段はそのＩＤコードが金銭代用体引き渡し手段から引き渡されている金銭代用円盤状体のＩＤコードであるか否かを識別する，遊技システム。」
の点で一致し、以下の点で相違する。
　
［相違点１］
　上記一致点における「ＩＤコードを記憶させた記憶手段を備えた」点に関して、本願補正発明においては「後に変更できない状態で製造段階に固有のＩＤコードを記憶させた書き込みが不可能な読み出し専用メモリを内蔵している」ものであるのに対して、引用発明においてはかかる構成がない点。
　
［相違点２］
　上記一致点における「金銭代用体」とは本願補正発明においては「円盤状体」であるのに対して、引用発明はカードである点。
　
［相違点３］
　上記一致点における「引き渡す」、「引き渡し手段」とは本願補正発明においては「貸し出す」、「貸し出し手段」であるのに対して、引用発明においてはかかる構成であるか不明である点。
　
［相違点４］
　上記一致点における「金銭代用体が投入される精算手段」とは、本願補正発明においては「金銭代用円盤状体の投入により所定の金額の金銭を払い戻す」ものであるのに対して、引用発明にはかかる構成がない点。
　
［相違点５］
　上記一致点における「前記金銭代用体引き渡し手段が金銭代用体を引き渡した場合は，ＩＤコードが制御手段に入力され，制御手段はその金銭代用体のＩＤコードを記憶」する点に関して、本願補正発明においては「その金銭代用体のＩＤコード」が制御手段に入力されることによって制御手段がＩＤコードを記憶するものであるのに対して、引用発明においては、カードにＩＤ番号を記憶させて発行し、当該ＩＤ番号がセンターコンピュータへ伝送され記録されるものである点。
　
５．相違点の判断
　
　上記相違点について検討する。
　
［相違点１について］
　引用発明においては、プリペイドカードにおけるＩＤ番号の記憶手段について、どのような手段であるか不明である。
　しかし、内蔵されたＲＯＭ等のデータの書き込みが不可能な読み出し専用メモリにＩＤ番号を記憶させるＩＣカードは、特開昭６０−１９８６８３号公報（特にＲＯＭ３を参照）、特開昭６１−２２６８８８号公報（特にＲＯＭ１０を参照）、特開平２−１０１７５５号公報（特にＲＯＭ４ｂを参照）にあるように周知技術（以下「周知技術１」という。）であり、引用発明におけるプリペイドカードに代えて周知技術１を採用して本願補正発明の相違点１にかかる構成とすることは、当業者にとって容易に想到できたことである。
　
［相違点２について］
　原査定の拒絶の理由において引用された特開平１−２２３９８４号公報（以下「引用文献２」という。）には、
「パチンコ遊技機１０の左隅には、カード挿入・排出口２８が形成されており、記録媒体の一例である磁気カード１２０（第５図参照）が挿入・排出可能に構成されている。この磁気カード１２０には、後述するように、遊技者の持玉数が特定できる持玉数特定情報が記録されており、その持玉数データに対応する数だけのパチンコ玉によりパチンコ遊技が可能となる。」（公報３ページ右下欄）
「なお、前記磁気カード１２０は、第５図においては、ほぼ長方形の偏平なカード状のものを示したが、本発明はこれに限らず、円盤状や棒状等も含まれ、形状は問わない。さらに、情報を磁気的に記録する磁気カードを示したが、本発明はこれに限らず、ＩＣ（集積回路）によって情報を記憶するものや、光ディスクメモリ等の光によって情報を記憶するもの、さらには、バーコード等のような印刷されたものあるいはパンチ孔等、種々のものが考えられる。」（公報８ページ右上欄〜左下欄）
という記載があるから、引用文献２には、
「遊技者が遊技の前に支払った料金に相当する貸玉の数を記録した記録媒体を、円盤状の形状とする」
という技術（以下「引用文献２記載の技術」という。）が開示されている。
　引用文献２には、さらに「ＩＣ（集積回路）によって情報を記憶するもの」も例示されているから、上記相違点１で検討したようにＩＣカードを採用した場合についても、それが阻害要因となることもなく、引用発明に引用文献２記載の技術を適用して、本願補正発明の相違点２にかかる構成とすることは、当業者にとって容易に想到できたことである。
　
［相違点３について］
　引用発明においてはプリペイドカードについて「購入」、「発行」とあるから、本願補正発明のように「貸し出す」ものではないかもしれない。
　しかし、「販売」か「貸し出し」かの違いは、引き渡された物品を返却する必要があるか否かの違いであり、当該物品について「所有」よりもその「使用」に意味がある場合や、当該物品を再利用することが相応のコスト削減になる場合等に、「販売」ではなく「貸し出し」の形態を取ることは、実際の商取引一般においても慣用的に用いられている取引形態である。
　そして、引用発明におけるプリペイドカードが具体的にどのような物品か不明であるが、上記相違点１で検討したようにＩＣカードを採用した場合を想定すれば、ＩＣカードのコストを考慮すれば再利用することは当然想定され、かつ遊技者にとってみても当該カードの所有に意味があるものでもないから、引用発明においてプリペイドカードを「貸し出す」という取引形態とし、本願補正発明の本願補正発明の相違点２にかかる構成とすることは、当業者にとって容易に想到できたことである。
　
［相違点４について］
　引用文献１の段落【００４０】における「購入しただけの金額は遊技客の所有物であり、基本的に持ち帰り自由であるが、稼いだ玉数は当日のみ通用するものであり、遊技終了時には清算して景品と引き換える必要がある。」という記載を参照すれば、プリペイドカードを購入した分の金額（残金）については、遊技客が次回来店時に使用可能ということであり、払い戻しは想定していない（払い戻しは不可である）とも考えられる。
　しかし、予め支払った分について払い戻しを受け付けるか否かはそもそもビジネス上の決定事項に過ぎず、また、遊技場で遊技用記録媒体の残金分の払い戻しを行う装置を備えることも、特開昭６１−１４３０８５号公報の精算機２ｂ、特開昭６２−８６４８１号公報のカード発行精算装置１（貨幣投出装置９６）、特開昭６２−２４６３８６号公報の残金払戻機３にあるように周知技術に過ぎない（以下「周知技術２」という。）。
　よって、引用発明の「プリペイドカードの清算を管理する清算管理用端末器」に対して周知技術２を適用して、本願補正発明の相違点４にかかる構成とすることは、当業者にとって容易に想到できたことである。
　
［相違点５について］
　本願補正発明における「その金銭代用体のＩＤコード」とは、「後に変更できない状態で製造段階に記憶された固有のＩＤコード」であるのに対して、引用発明においてはプリペイドカード発行時にＩＤ番号を記憶させている点で相違している。
　これについて、新たに引用する特開平６−２６６７３４号公報（以下「引用文献３」という。）には、
「ホスト１１は清算システム１の全体を制御し、
顧客に引き渡した顧客用バーコードＣＢ（リストバンドＷＢ）を使用可能とするために、当該顧客用バーコードＣＢを読み取って顧客情報ＤＣをホスト１１内のファイルに登録し、当該顧客識別コードに対する預託金口座が開設され、
顧客が商品を購入する際に、商品情報ＤＧを入力するとともに、顧客の所持する顧客用バーコードＣＢを読み取り、売上げ金額を顧客識別コードに対応してファイルに登録し、当該顧客識別コードの預託金口座からその金額が引き落とされ残高が更新され、
顧客からのリストバンドＷＢの清算の要求に基づいて、顧客の持参した顧客用バーコードＣＢを読み取り、その顧客識別コードに対応して登録された売上の合計金額と預託金額とを清算し、残高がある場合にはそれが現金で顧客に払い戻される」
というシステムが記載されており（段落【００２０】〜【００２４】）、さらに
「リストバンドＷＢの発行に当たっては、顧客が所定の額の預託金を支払うことによって（＃１２）、在庫しているリストバンドＷＢの中から該当する預託金のものが入場担当者によって１つ取り出される。入場担当者は、取り出したリストバンドＷＢをバーコード読取り装置２２により読み取って顧客情報ＤＣを登録し（＃１３）、リストバンドＷＢを顧客に引き渡す（＃１４）。」（段落【００３１】）
「リストバンドＷＢの発行に当たっては、予め作成されたリストバンドＷＢの中から１つ抽出して顧客用バーコードＣＢを読み取るだけでよく、顧客用バーコードＣＢの印刷が不要であり且つ顧客識別コードの決定のために何らの手間も要さないので、その処理が極めて簡単で迅速に行うことができる。」（段落【００３７】）
という記載があり、さらに段落【００４１】にあるようにリストバンドＷＢに代えてプリペイドカードを用いる例を採用すれば、引用文献３には、
「プリペイドカードを発行する際に、予め作成されたプリペイドカードの中から１つ抽出して、予め印刷されている顧客用バーコードＣＢを読み取って、ホスト１１のファイルに登録することよって、当該プリペイドカードを使用可能とする」
という技術（以下「引用文献３記載の技術」という。）が記載されていると認められる。ここで「プリペイドカードに予め印刷されている顧客用バーコードＣＢ」とは、本願補正発明における「その金銭代用体のＩＤコード」に相当する。
　
　引用文献３記載の技術における「顧客用バーコードＣＢ」、「ホスト１１」とは引用発明の「ＩＤ番号」、「センターコンピュータ」に相当するものであり、引用発明も引用文献３記載の技術も、プリペイドカードのＩＤ番号のみをセンターコンピュータに登録して管理するシステムである点で共通しているから、引用発明に引用文献３記載の技術を適用して、本願補正発明の相違点５にかかる構成とすることは当業者にとって容易に想到できたことである。
　
［相違点の判断のまとめ］
　以上によれば、本願補正発明の相違点１〜５にかかる構成とすることは、引用発明、引用文献２記載の技術、引用文献３記載の技術及び周知技術１，２に基づいて、当業者が容易に想到できたものである。
　また、本願補正発明の作用効果についても、引用発明、引用文献２記載の技術、引用文献３記載の技術及び周知技術１，２から当業者が予測できる範囲のものである。
　
　よって、本願補正発明は、特許法第２９条第２項の規定により独立して特許を受けることができないものである。
　
６．むすび
　
　したがって、本願補正発明は、特許法第２９条第２項の規定により独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３．本願発明について
　
１．本願発明
　
　本件補正は上記のとおり却下されたので、本件補正前の請求項１に係る発明（以下「本願発明」という。）について、以下検討する。なお、本件補正前の請求項１は、上記第２．［理由］１．の［本件補正前の特許請求の範囲］において記載したとおりである。
　
２．引用例
　
　引用文献１及びその記載事項は、上記第２［理由］３．に記載したとおりのものである。
　
３．対比
　
　本願発明と引用発明を対比する。上記第２［理由］４．も参照すれば、引用発明と本願発明は、
「ＩＤコードを記憶させた記憶手段を備えた金銭代用体を利用した遊技システムであって，所定の金額の金銭の投入により金銭代用体を引き渡す金銭代用体引き渡し手段と，金銭代用体の投入により所定量の遊技媒体を貸し出す遊技媒体貸し出し手段と，遊技媒体を利用して遊技を行う遊技手段と，金銭代用体が投入される精算手段と，ＩＤコードに基づいて遊技媒体貸し出し手段及び精算手段を制御する制御手段を備えた，遊技システム。」
の点で一致し、以下の点で相違する。　
　
［相違点１］
　上記一致点における「ＩＤコードを記憶させた記憶手段を備えた」点に関して、本願補正発明においては「後に変更できない状態で製造段階に固有のＩＤコードを記憶させたメモリを内蔵している」ものであって、かつ「前記メモリはデータの書き込みが不可能な読み出し専用メモリ」であるのに対して、引用発明においてはかかる構成がない点。
　
［相違点２］
　上記一致点における「金銭代用体」とは本願補正発明においては「円盤状体」であるのに対して、引用発明はカードである点。
　
［相違点３］
　上記一致点における「引き渡す」、「引き渡し手段」とは本願補正発明においては「貸し出す」、「貸し出し手段」であるのに対して、引用発明においてはかかる構成であるか不明である点。
　
［相違点４］
　上記一致点における「金銭代用体が投入される精算手段」とは、本願補正発明においては「金銭代用円盤状体の投入により所定の金額の金銭を払い戻す」ものであるのに対して、引用発明にはかかる構成がない点。
　
４．相違点の判断
　
　上記相違点１〜４は、上記第２［理由］４．における相違点１〜４と実質的に同じであり、そして上記第２［理由］５．において示したとおり、本願発明の相違点１〜４にかかる構成とすることは、引用発明、引用文献２記載の技術及び周知技術１，２に基づいて、当業者が容易に想到できたものである。
　また、本願発明の作用効果についても、引用発明、引用文献２記載の技術及び周知技術１，２から当業者が予測できる範囲のものである。
　
　よって、本願発明は、原査定の理由に基づき、特許法第２９条第２項の規定により特許を受けることができないものである。
　
第４．むすび
　
　以上のとおり、本件補正は却下され、そして、本願発明は原査定の理由に基づき、特許法第２９条第２項の規定により特許を受けることができないものであるから、その余の請求項について検討するまでもなく、本願は拒絶を免れない。  
　よって、結論のとおり審決する。